(57)【要約】【課題】確実に冷凍サイクル機器を保護し、空調負荷に応じた運転を行うことができる空気調和装置の制御方法を提供する。【解決手段】圧縮機２、室外熱交換器３を有する室外機１と、室内熱交換器１４を有する室内機１２とを備えた空気調和装置の制御方法において、凝縮温度領域を低下、保持、上昇、復帰の４つのゾーンに分け、凝縮温度が低下ゾーンに突入した場合、まず最大圧縮機回転数をある回転数Ｎｍａｘに制限し、その後凝縮温度が低下ゾーンにある場合、圧縮機回転数を低下させて凝縮温度を下げ、凝縮温度が保持ゾーンにある場合、圧縮機回転数を保持し、凝縮温度が上昇ゾーンにある場合は、回転数Ｎｍａｘを上限に圧縮機回転数を上昇させ、さらに凝縮温度が下がり、制御ゾーンが復帰ゾーンにある場合、回転数Ｎｍａｘをキャンセルし通常制御に復帰させるもので、冷凍サイクルの高圧異常を防止できる。【選択図】図１
2010210198.tif 000002
【特許請求の範囲】
【請求項１】
圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、通常制御に復帰させることを特徴とする空気調和装置の制御方法。
【請求項２】
圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、圧縮機回転数を、通常運転回転数まで圧縮機回転数変化速度を低下させて上昇させることを特徴とする空気調和装置の制御方法。
【請求項３】
圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、圧縮機回転数を圧縮機回転数変化速度を通常よりも低下させて上昇させ、設定時間経過後は、圧縮機回転数変化速度を通常速度に戻すことを特徴とする空気調和装置の制御方法。
【請求項４】
圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、通常制
御に復帰させることを特徴とする空気調和装置の制御方法。
【請求項５】
圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、圧縮機回転数を通常運転回転数まで圧縮機回転数変化速度を低下させて上昇させることを特徴とする空気調和装置の制御方法。
【請求項６】
圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、圧縮機回転数を圧縮機回転数変化速度を通常よりも低下させて上昇させ、設定時間経過後は、圧縮機回転数変化速度を通常速度に戻すことを特徴とする空気調和装置の制御方法。
【発明の詳細な説明】
【技術分野】
【０００１】
本発明は、空気調和装置の制御方法に関するものである。
【背景技術】
【０００２】
従来の空気調和装置の制御方法では、過負荷時や低負荷時に、圧力センサを用いることなく熱交換器から検出された温度から圧縮機回転数を変化させることにより、圧縮機などの冷凍サイクル機器を保護している（例えば、特許文献１参照）。
【特許文献１】特許第３４６１０２７号公報
【発明の開示】
【発明が解決しようとする課題】
【０００３】
しかしながら、上記特許文献１に記載された従来の空気調和装置の制御方法では、急な負荷変動時、たとえば雰囲気温度変化，室内負荷の増減などの急変において、対応しきれず凝縮圧力の急上昇や蒸発圧力の低下から凍結を発生させるなど、冷凍サイクル機器を保護できなかったり、圧縮機回転数が頻繁に変化するため音や振動が増加するなどの課題があった。
【０００４】
本発明は、前記従来の課題を解決するもので、圧縮機回転数を最適に制御することにより、確実に冷凍サイクル機器を保護し、空調負荷に応じた運転を行うことができる空気調和装置の制御方法を提供することを目的とする。
【課題を解決するための手段】
【０００５】
前記従来の課題を解決するために本発明の空気調和装置は、圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、通常制御に復帰させるもので、空気調和機の能力を維持しつつ冷凍サイクルの高圧異常を防止して、冷凍サイクル機器を保護することができる。
【０００６】
また、本発明の空気調和装置は、圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、圧縮機回転数を、通常運転回転数まで圧縮機回転数変化速度
を低下させて上昇させるもので、冷凍サイクルの安定性を向上させ、冷凍サイクルの異常を防ぐことができる。
【０００７】
また、本発明の空気調和装置は、圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、圧縮機回転数を圧縮機回転数変化速度を通常よりも低下させて上昇させ、設定時間経過後は、圧縮機回転数変化速度を通常速度に戻すもので、通常制御までの復帰時間を短縮し、必要以上に快適性が失われること無く安定性を保持したまま通常運転に復帰できる。
【０００８】
また、本発明の空気調和装置は、圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、通常制御に復帰させるもので、空気調和装置の能力を維持しつつ室内熱交換器の凍結を防止し、冷凍サイクルの過度な低圧低下を防止する。
【０００９】
また、本発明の空気調和装置は、圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、圧縮機回転数を通常運転回転数まで圧縮機回転数変化速度を低下させて上昇させるもので、冷凍サイクル安定性を向上させ、冷凍サイクルの異常を防ぐことができる。
【００１０】
また、本発明の空気調和装置は、圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突
入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、圧縮機回転数を圧縮機回転数変化速度を通常よりも低下させて上昇させ、設定時間経過後は、圧縮機回転数変化速度を通常速度に戻すもので、必要以上に快適性が失われること無く安定性を保持したまま通常運転に復帰できる。
【発明の効果】
【００１１】
本発明の空気調和装置の制御方法は、過負荷時または低負荷時に圧縮機上限回転数を制限すると同時に制御域を４つ設定し圧縮機回転数を変化させることで負荷の急な変化時においても凝縮温度または蒸発温度を維持して、冷凍サイクル機器を保護し、空調負荷に応じた運転を行うことができる。
【発明を実施するための最良の形態】
【００１２】
第１の発明は、圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、通常制御に復帰させるもので、空気調和機の能力を維持しつつ冷凍サイクルの高圧異常を防止して、冷凍サイクル機器を保護することができる。
【００１３】
第２の発明は、圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、圧縮機回転数を、通常運転回転数まで圧縮機回転数変化速度を低下させて上昇させるもので、冷凍サイクルの安定性を向上させ、冷凍サイクルの異常を防ぐことができる。
【００１４】
第３の発明は、圧縮機、室外熱交換器、室外送風機、四方弁、絞り装置を有する室外機と、前記室外機に接続されると共に、室内熱交換器、室内送風機を有する室内機と、凝縮温度を検出する凝縮温度検出装置とを備え、少なくとも冷房運転または除湿運転または暖房運転を行う空気調和装置の制御方法において、凝縮温度領域を低下、保持、上昇、復帰の４つの制御ゾーンに分け、検出された凝縮温度が前記低下ゾーンに突入した場合、まず、最大圧縮機回転数をある回転数Ｎｍａｘに制限し、その後、検出された凝縮温度が前記低下ゾーンにある場合は、圧縮機回転数を低下させて凝縮温度を下げ、検出された凝縮温
度が前記保持ゾーンにある場合は、圧縮機回転数を保持し、検出された凝縮温度が前記上昇ゾーンにある場合は、前記回転数Ｎｍａｘを上限に圧縮機回転数を上昇させ、さらに凝縮温度が下がり、制御ゾーンが前記復帰ゾーンにある場合は、前記回転数Ｎｍａｘをキャンセルし、圧縮機回転数を圧縮機回転数変化速度を通常よりも低下させて上昇させ、設定時間経過後は、圧縮機回転数変化速度を通常速度に戻すもので、通常制御までの復帰時間を短縮し、必要以上に快適性が失われること無く安定性を保持したまま通常運転に復帰できる。
【００１５】
第４の発明は、圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、通常制御に復帰させるもので、空気調和装置の能力を維持しつつ室内熱交換器の凍結を防止し、冷凍サイクルの過度な低圧低下を防止する。
【００１６】
第５の発明は、圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、圧縮機回転数を通常運転回転数まで圧縮機回転数変化速度を低下させて上昇させるもので、冷凍サイクル安定性を向上させ、冷凍サイクルの異常を防ぐことができる。
【００１７】
第６の発明は、圧縮機、室外熱交換器、室外送風機、四方弁、絞り装置を有する室外機と、前記室外機に接続されると共に、室内熱交換器、室内送風機を有する室内機と、蒸発温度を検出する蒸発温度検出装置とを備え、少なくとも冷房運転または除湿運転または暖房運転を行う空気調和装置の制御方法において、蒸発温度領域を低下、保持、上昇、復帰の４つの制御ゾーンに分け、検出された蒸発温度が前記低下ゾーンに突入した場合、まず、最大圧縮機回転数をある回転数Ｎｍａｘに制限し、その後、検出された蒸発温度が前記低下ゾーンにある場合は、圧縮機回転数を低下させて蒸発温度を上げ、検出された蒸発温度が前記保持ゾーンにある場合は、圧縮機回転数を保持し、検出された蒸発温度が前記上昇ゾーンにある場合は、前記回転数Ｎｍａｘを上限に圧縮機回転数を上昇させ、さらに蒸発温度が上がり、制御ゾーンが前記復帰ゾーンにある場合は、前記回転数Ｎｍａｘをキャンセルし、圧縮機回転数を圧縮機回転数変化速度を通常よりも低下させて上昇させ、設定時間経過後は、圧縮機回転数変化速度を通常速度に戻すもので、必要以上に快適性が失われること無く安定性を保持したまま通常運転に復帰できる。
【００１８】
以下、本発明の実施の形態について、図面を参照しながら説明する。なお、この実施の形態によって本発明が限定されるものではない。
【００１９】
（実施の形態１）
図１は、本発明の実施の形態１における空気調和装置の制御方法を用いた空気調和装置の冷凍サイクル図であり、図２は、同空気調和装置の凝縮温度領域概念図である。
【００２０】
図１において、本実施の形態における空気調和装置の制御方法を用いた空気調和装置は、室外機１と、接続配管５ｂ、６ｂを介して室外機１と接続される室内機１２から構成され、室外機１には、回転数可変の圧縮機２と、室外熱交換器３と、室外送風機４と、冷媒液管５ａと、冷媒ガス管６ａと、冷暖房切換用の四方弁７と、絞り装置８が設けられている。
また、室外機１には、室外熱交換器３の温度を検出する室外熱交換器温度検出装置９と、室外気温を検出する室外気温度検出装置１０が設けられている。
【００２１】
一方、室内機１２には、室内送風機１３と、室内熱交換器１４と、室内熱交換器１４の温度を検出する室内熱交換器温度検出装置１５と、部屋の室温を検出する室内吸込み温度検出装置１６と、居住者が希望する運転モード（冷房、除湿または暖房）、室温、運転あるいは停止、風量及び風向などを設定できる運転設定装置１７が設けられている。そして、室外機１と室内機１２とは接続配管５ｂ，６ｂで接続されて、冷凍サイクルが構成されている。
【００２２】
凝縮温度は、冷房運転の場合、室外熱交換器３に取り付けられた室外熱交換器温度検出装置９で検出され、暖房運転の場合は、室内熱交換器１４に取り付けられた室内熱交換器温度検出装置１５で検出される。すなわち、本実施の形態では、冷房運転時に、室外熱交換器温度検出装置９が、また、暖房時に、室内熱交換器温度検出装置１５が、それぞれ凝縮温度検出装置となる。
【００２３】
図２のように凝縮温度領域を、低下、保持、上昇、復帰の４つの制御ゾーンに分け、検出された凝縮温度が、低下ゾーン（例えば、６０℃以上）に突入した場合、まず、最大圧縮機回転数をある回転数Ｎｍａｘ（例えば、７０ｒｐｓ）に制限する。圧縮機回転数が低下しても尚検出された凝縮温度が、低下ゾーンにある場合は、圧縮機回転数を低下させ、さらに凝縮温度を下げる。
【００２４】
凝縮温度が下がり、保持ゾーンに突入した場合（例えば、５６℃から６０℃）は圧縮機回転数を保持し、凝縮温度を保つ運転を行う。検出された凝縮温度がさらに下がり、上昇ゾーンに突入した場合（例えば、５２℃から５６℃）は、回転数Ｎｍａｘを上限に圧縮機回転数を上昇させる。この際の圧縮機回転数上昇速度は安定性を優先するため遅い速度（例えば、１Ｈｚ／３０秒）で設定する。凝縮温度が上がり、上昇ゾーンから保持ゾーンに移動すれば、保持ゾーンの動作を行い、圧縮機回転数を保持することで冷凍サイクルを安定させる。
【００２５】
負荷変動などでさらに凝縮温度が下がり制御ゾーンが復帰ゾーン（例えば、５２℃以下）に突入した場合は、上限回転数Ｎｍａｘをキャンセルし圧縮機２の回転数を通常回転数まで上昇させ、通常制御に復帰させる。
【００２６】
このように動作させることで、空気調和機の能力を維持しつつ冷凍サイクルの高圧異常を防止することができる。
【００２７】
（実施の形態２）
次に、本発明の実施の形態２における空気調和装置の制御方法について説明する。なお、本実施の形態における空気調和装置の冷凍サイクル図、凝縮温度領域概念図は上記実施
の形態１で述べたものと同一なので、その説明は省略する。また、本実施の形態における空気調和装置の制御方法は、復帰ゾーンの動作のみ異なるもので、凝縮温度の検出、及び、低下ゾーン、保持ゾーン及び上昇ゾーンの各ゾーンにおける動作は、上記実施の形態１で述べたものと同一である。
【００２８】
復帰ゾーンの動作について説明する。凝縮温度が下がり制御ゾーンが、復帰ゾーン（例えば、５２℃以下）に突入した場合は、上限回転数Ｎｍａｘをキャンセルし、圧縮機２の回転数を通常回転数まで上昇させて、通常制御に復帰させるのだが、通常制御での圧縮機回転数変更速度は、一般的に速く設定（例えば、１Ｈｚ／１秒）されており、圧縮機回転数が急上昇する。
【００２９】
負荷が軽くなっているとはいえ、圧縮機回転数を急上昇させることにより凝縮温度の急上昇を引き起こし、保護突入、もしくは保護停止に至る場合がある。これを防止するため、本実施の形態では、復帰ゾーンでも、圧縮機回転数上昇速度を緩やかに設定（例えば、１Ｈｚ／３０秒）するもので、冷凍サイクル安定性を向上させ、冷凍サイクルの異常を防ぐことができる。
【００３０】
（実施の形態３）
次に、本発明の実施の形態３における空気調和装置の制御方法について説明する。なお、本実施の形態における空気調和装置の冷凍サイクル図、凝縮温度領域概念図は上記実施の形態１で述べたものと同一なので、その説明は省略する。また、本実施の形態における空気調和装置の制御方法は、復帰ゾーンの動作のみ異なるもので、凝縮温度の検出、及び、低下ゾーン、保持ゾーン及び上昇ゾーンの各ゾーンにおける動作は、上記実施の形態１で述べたものと同一である。
【００３１】
復帰ゾーンの動作について説明する。凝縮温度が下がり制御ゾーンが復帰ゾーン（例えば、５２℃以下）に突入した場合は、上限回転数Ｎｍａｘをキャンセルし圧縮機２を通常回転数まで緩やかに（例えば、１Ｈｚ／３０秒）上昇させ、通常制御に復帰させるのだが、通常の圧縮機回転数と、保護により低下した圧縮機回転数の差が小さい場合は、すぐに通常制御に復帰するため安定性に問題ない。
【００３２】
しかし起動時など過渡的に大きく保護がはたらいてしまい、通常の圧縮機回転数と保護により低下した圧縮機回転数の差が大きい場合、例えば、通常回転数を８０Ｈｚ保護により低下した回転数を３０Ｈｚとすると、目標とする通常回転数まで復帰するために非常に長い時間（この場合は、２５分）がかかり快適性が損なわれる。そこで復帰ゾーンに突入し復帰動作開始と共にタイマー（図示せず）を動作させ、タイマー設定時間中（例えば、５分）のみ緩やかな速度で復帰、タイマー設定時間が経過した後は、通常速度に変更し速やかに通常制御に復帰させるものである。
【００３３】
この制御により必要以上に快適性が失われること無く安定性を保持したまま通常運転に復帰できる。
【００３４】
（実施の形態４）
図３は、本発明の実施の形態４における空気調和装置の蒸発温度領域概念図を示す。なお、上記実施の形態１における空気調和装置と同一部分には、同一符号を付してその説明を省略する。
【００３５】
蒸発温度は、冷房運転の場合、室内熱交換器１４に取り付けられた室内熱交換器温度検出装置１５で検出し、暖房運転の場合は、室外機熱交換器３に取り付けられた室外熱交換器温度検出装置９で検出する。すなわち、本実施の形態では、冷房運転時に、室内熱交換
器温度検出装置１５が、また、暖房時は、室外熱交換器温度検出装置９が、それぞれ蒸発温度検出装置となる。
【００３６】
図３に示すように、蒸発温度領域を、低下、保持、上昇、復帰の４つの制御ゾーンに分け、検出された蒸発温度が、回転数低下ゾーン（例えば、１℃以下）に突入した場合、まず、最大圧縮機回転数をある回転数Ｎｍａｘ（例えば、７０ｒｐｓ）に制限する。圧縮機回転数が低下しても、尚検出された蒸発温度が、低下ゾーンにある場合は、圧縮機回転数を低下させ、さらに蒸発温度を上げる。
【００３７】
蒸発温度が上がり、保持ゾーンに突入した場合（例えば、１℃から５℃）は、圧縮機回転数を保持し、蒸発温度を保つ運転を行う。
【００３８】
検出された蒸発温度がさらに上がり、上昇ゾーンに突入した場合（例えば、５℃から１０℃）は、回転数Ｎｍａｘを上限に圧縮機回転数を上昇させる。この際の圧縮機回転数上昇速度は安定性を優先するため遅い速度（例えば、１Ｈｚ／３０秒）で設定する。蒸発温度が下がり、上昇ゾーンから保持ゾーンに移動すれば、保持ゾーンの動作を行い、圧縮機回転数を保持することで冷凍サイクルを安定させる。
【００３９】
負荷変動などでさらに蒸発温度が上がり、制御ゾーンが復帰ゾーン（例えば、１０℃以上）に突入した場合は、上限回転数Ｎｍａｘをキャンセルし、圧縮機２を通常回転数まで上昇させ、通常制御に復帰させる。
【００４０】
このように空気調和装置を動作させることで、空気調和装置の能力を維持しつつ室内熱交換器１４の凍結を防止し、冷凍サイクルの過度な低圧低下を防止することができる。
【００４１】
（実施の形態５）
次に、本発明の実施の形態５における空気調和装置の制御方法について説明する。なお、本実施の形態における空気調和装置の冷凍サイクル図は、上記実施の形態１と、また蒸発温度領域概念図は、上記実施の形態４とそれぞれ同一なので、その説明は省略する。また、本実施の形態における空気調和装置の制御方法は、復帰ゾーンの動作のみ異なるもので、蒸発温度の検出、及び、低下ゾーン、保持ゾーン及び上昇ゾーンの各ゾーンにおける動作は、上記実施の形態４で述べたものと同一なので、それについての説明を省略する。
【００４２】
本実施の形態における空気調和装置の制御方法における復帰ゾーンの動作について説明する。
【００４３】
蒸発温度が上がり、制御ゾーンが復帰ゾーン（例えば、１０℃以上）に突入した場合は、上限回転数Ｎｍａｘをキャンセルし、圧縮機２を通常回転数まで上昇させ、通常制御に復帰させるのだが、通常制御での、圧縮機回転数変更速度は一般的に速く設定（例えば、１Ｈｚ／１秒）されており、圧縮機回転数が急上昇する。冷凍サイクルの低圧確保ができているとはいえ、圧縮機回転数を急上昇させることにより蒸発温度の急低下を引き起こし保護突入、もしくは室内熱交換器１４の凍結や異常な低圧低下による保護停止に至る場合がある。これを防止するため、復帰ゾーンでも圧縮機回転数上昇速度を、緩やかに設定（例えば１Ｈｚ／３０秒）し、冷凍サイクル安定性を向上させ、冷凍サイクルの異常を防ぐ。
【００４４】
（実施の形態６）
次に、本発明の実施の形態６における空気調和装置の制御方法について説明する。なお、本実施の形態における空気調和装置の冷凍サイクル図は、上記実施の形態１と、また蒸発温度領域概念図は、上記実施の形態４とそれぞれ同一なので、その説明は省略する。ま
た、本実施の形態における空気調和装置の制御方法は、復帰ゾーンの動作のみ異なるもので、蒸発温度の検出、及び、低下ゾーン、保持ゾーン及び上昇ゾーンの各ゾーンにおける動作は、上記実施の形態４で述べたものと同一なので、それについての説明を省略する。
【００４５】
本実施の形態における空気調和装置の制御方法における復帰ゾーンの動作について説明する。
【００４６】
蒸発温度が上がり、制御ゾーンが復帰ゾーン（例えば、１０℃以上）に突入した場合は、上限回転数Ｎｍａｘをキャンセルし、圧縮機２を通常回転数まで緩やかに（例えば１Ｈｚ／３０秒）上昇させ、通常制御に復帰させるのだが、通常の圧縮機回転数と保護により低下した圧縮機回転数の差が小さい場合は、すぐに通常制御に復帰するため安定に問題ない。しかし起動時など過渡的に大きく保護がはたらいてしまい、通常の圧縮機回転数と保護により低下した圧縮機回転数の差が大きい場合、例えば、通常回転数を８０Ｈｚ、保護により低下した回転数を３０Ｈｚとすると、目標とする通常回転数まで復帰するために非常に長い時間（この場合は２５分）がかかり快適性が損なわれる。
【００４７】
そこで復帰ゾーンに突入し、復帰動作開始とともにタイマーを動作させ、タイマー設定時間中（例えば、５分）のみ緩やかな速度で復帰、タイマー終了後は、通常速度に変更し速やかに通常制御に復帰させるようにしたものである。
【００４８】
この制御により、必要以上に快適性が失われること無く安定性を保持したまま通常運転に復帰できる。
【産業上の利用可能性】
【００４９】
以上のように本発明にかかる空気調和装置の制御方法は、より室内負荷変動の大きい多室型の空気調和装置に応用することで大きな効果を得ることができる。
【図面の簡単な説明】
【００５０】
【図１】本発明の実施の形態１における空気調和装置の制御方法を用いた空気調和装置の冷凍サイクル図
【図２】同空気調和装置の凝縮温度領域概念図
【図３】本発明の実施の形態４における空気調和装置の蒸発温度領域概念図
【符号の説明】
【００５１】
１  室外機
２  圧縮機
３  室外熱交換器
４  室外送風機
７  四方弁
８  絞り装置
９  室外熱交換器温度検出装置（凝縮温度検出装置、蒸発温度検出装置）
１２  室内機
１３  室内送風機
１４  室内熱交換器
１５  室内熱交換器温度検出装置（凝縮温度検出装置、蒸発温度検出装置）
【図１】
2010210198.tif 000003
【図２】
2010210198.tif 000004
【図３】
2010210198.tif 000005